(57)【特許請求の範囲】
【請求項１】
第１の基板と第２の基板とが相対運動可能に連結された携帯電話において、
前記第１の基板に着脱自在に装着された第１の筐体部と、
前記第２の基板に着脱自在に装着されると共に、前記第１の筐体部とは分離している第２の筐体部と、
前記第１の筐体部を前記第１の基板に固定し、前記第２の筐体部を前記第２の基板に固定する抜け止め部と、を備え、
前記第１の筐体部の端部には、前記第１の基板を受け入れる第１の装着口が形成され、前記第２の筐体部の端部には、前記第２の基板を受け入れる第２の装着口が形成され、
前記抜け止め部は、
前記第１の筐体部の前記端部に設けられると共に、前記第１の基板が通過するときには前記第１の基板の押圧によって弾性変形して前記第１の装着口を開放し、前記第１の基板が通過した後には復元して前記第１の装着口を閉鎖する第１の蓋部と、
前記第２の筐体部の前記端部に設けられると共に、前記第２の基板が通過するときには前記第２の基板の押圧によって弾性変形して前記第１の装着口を開放し、前記第２の基板が前記第２の装着口を通過した後には復元して前記第２の装着口を閉鎖する第２の蓋部と、を有することを特徴とする携帯電話。
【請求項２】
前記第１の筐体部及び前記第２の筐体部の少なくとも一方にはコネクタ部が設けられており、前記第１の基板または前記第２の基板には前記コネクタ部に接続されるインターフェース部が設けられていることを特徴とする請求項１記載の携帯電話。
【請求項３】
前記第１の筐体部及び前記第２の筐体部の少なくとも一方には操作ボタンが配置された操作パネルが設けられており、前記第１の基板または前記第２の基板にはユーザによる前記操作ボタンの押圧入力を受け付ける入力デバイスが設けられていることを特徴とする請求項１または２記載の携帯電話。
【請求項４】
前記第１の基板及び前記第２の基板の少なくとも一方には電池パックが設けられており、前記第１の筐体部または前記第２の筐体部は、前記電池パックを覆って前記電池パックの蓋になることを特徴とする請求項１〜３のいずれか一項記載の携帯電話。
【発明の詳細な説明】
【技術分野】
【０００１】
本発明は、第１の基板と第２の基板とが相対運動可能に連結された、いわゆる折り畳み式、スライド式またはターン式などの携帯電話に関する。
【背景技術】
【０００２】
多様化する携帯電話の利用者のニーズに合わせて、携帯電話のデザインをユーザが選択できるものが商品化されている。この種の携帯電話では、様々な色彩や模様などによって利用者のニーズに対応させたり、携帯電話の外観の一部に特徴的なデザインをあしらったパネルを取り付けたり（特許文献１及び特許文献２参照）するなどの工夫が施されていた。
【特許文献１】特開２００７−８８７３５号公報
【特許文献２】特開２００５−９４５３３号公報
【発明の開示】
【発明が解決しようとする課題】
【０００３】
しかしながら、従来の携帯電話では、外観の一部形状を変更するに過ぎなかったため、外観全体のデザインを変更させることはできず、特に、折り畳み式やスライド式などの携帯電話に対応させて外観全体のデザイン変更を行うのは困難であるため、利用者のニーズに幅広く対応させることは困難であった。
【０００４】
そこで、本発明は、利用者のニーズに幅広く対応させるのに有効である携帯電話を提供することを目的とする。
【課題を解決するための手段】
【０００５】
以上の課題を解決するため、本発明は、第１の基板と第２の基板とが相対運動可能に連結された携帯電話において、第１の基板に着脱自在に装着された第１の筐体部と、第２の基板に着脱自在に装着されると共に、第１の筐体部とは分離している第２の筐体部と、第１の筐体部を第１の基板に固定し、第２の筐体部を第２の基板に固定する抜け止め部と、を備え、第１の筐体部の端部には、第１の基板を受け入れる第１の装着口が形成され、第２の筐体部の端部には、第２の基板を受け入れる第２の装着口が形成され、抜け止め部は、第１の筐体部の端部に設けられると共に、第１の基板が通過するときには第１の基板の押圧によって弾性変形して第１の装着口を開放し、第１の基板が通過した後には復元して第１の装着口を閉鎖する第１の蓋部と、第２の筐体部の端部に設けられると共に、第２の基板が通過するときには第２の基板の押圧によって弾性変形して第１の装着口を開放し、第２の基板が第２の装着口を通過した後には復元して第２の装着口を閉鎖する第２の蓋部と、を有することを特徴とする。
【０００６】
本発明に係る携帯電話によれば、第１の筐体部及び第２の筐体部は、第１の基板または第２の基板に着脱自在であるため、第１の筐体部及び第２の筐体部を他の筐体部に取り換えることで全体のデザイン変更を容易に行える。さらに、第１の筐体部と第２の筐体部とは分離されているため、第１の基板と第２の基板とが相対運動可能に連結されていても、それぞれ独立して第１の基板または第２の基板に装着することができ、第１の筐体部や第２の筐体部の取り換えは容易である。その結果として、利用者のニーズに幅広く対応させることが容易になる。また、第１の蓋部及び第２の蓋部の弾性変形によって開放されていた第１の装着口及び第２の装着口は、第１の基板または第２の基板が通過すると、第１の蓋部または第２の蓋部の復元によって閉鎖される。その結果として、第１の筐体部と第２の筐体部とを第１の基板または第２の基板に確実に、且つ容易に固定することができる。
【０００７】
さらに、第１の筐体部及び第２の筐体部の少なくとも一方にはコネクタ部が設けられており、第１の基板または第２の基板にはコネクタ部に接続されるインターフェース部が設けられていると好適である。コネクタ部が設けられた第１の筐体部または第２の筐体部を、第１の基板または第２の基板に装着することでコネクタ部とインターフェース部とが接続されて特定の機能が利用可能になる。
【０００８】
さらに、第１の筐体部及び第２の筐体部の少なくとも一方には操作ボタンが配置された操作パネルが設けられており、第１の基板または第２の基板にはユーザによる操作ボタンの押圧入力を受け付ける入力デバイスが設けられていると好適である。操作パネルが設けられた第１の筐体部または第２の筐体部を、第１の基板または第２の基板に装着することで、操作ボタンの押圧入力が入力デバイスによって受け付けられるようになる。
【０００９】
さらに、第１の基板及び第２の基板の少なくとも一方には電池パックが設けられており、第１の筐体部または第２の筐体部は、電池パックを覆って電池パックの蓋になると好適である。第１の筐体部または第２の筐体部を、第１の基板または第２の基板に装着することで電池パックは保護されるようになる。
【発明の効果】
【００１３】
本発明に係る携帯電話によれば、利用者のニーズに幅広く対応させることが容易になる。
【発明を実施するための最良の形態】
【００１４】
以下、図面を参照しつつ本発明に係る配信システムの好適な実施形態について説明する。
【００１５】
（第１実施形態）
図１は、第１実施形態に係る携帯電話の分解斜視図である。また、図２は、携帯電話の側断面図、図３は、携帯電話の側面図、図４は、下部基板及び下部筐体部を中心に示す携帯電話の側面図である。
【００１６】
携帯電話１Ａは、ヒンジ部２によって折り畳み可能に連結された下部基板（第１の基板）３と上部基板（第２の基板）５とを備えており、下部基板３には、着脱自在に下部筐体部（第１の筐体部）７が装着され、上部基板５には、着脱自在に上部筐体部（第２の筐体部）９が装着されている。さらに、下部筐体部７と上部筐体部９とは、下部基板３または上部基板５に装着される前の状態において互いに分離独立している。携帯電話１Ａは、折り畳んだ状態、すなわち閉じた状態で下部筐体部７の上に上部筐体部９が重なる。以下の説明では、閉じた状態で下部筐体部７と上部筐体部９とが向き合う面を下部筐体部７または上部筐体部９の内面として説明し、反対側の面をそれぞれ外面として説明する。同様に、閉じた状態で下部基板３と上部基板５とが向き合う側の面をそれぞれの内面として説明し、反対側の面をそれぞれの外面として説明する。
【００１７】
下部筐体部７の内側面には、複数の操作ボタン１１が配置された操作パネル１３が設けられている。下部基板３には、ユーザによる操作ボタン１１の押圧入力を受け付ける入力デバイス１５が設けられている。入力デバイス１５は、ユーザによる操作ボタン１１への押圧を検出する複数のセンサ部１７とセンサ部１７で検出したデータを受け付けて最適化するセンシング回路とを有する。また、下部基板３には、マイクや無線回路（図示せず）が実装されている。
【００１８】
上部基板５には、携帯電話１Ａ全体の動作制御を司るメインＣＰＵ、ＲＡＭやＲＯＭなどのメモリ、スピーカ及びアンテナなどが実装されている。さらに、上部基板５の内側面には、液晶ディスプレイ（液晶パネル）１９が実装されている。上部筐体部９の内側面には、液晶ディスプレイ１９を視認可能にする透過窓２１が設けられている。
【００１９】
下部基板３の内面側には、一対の軸部２３が形成されたマウント部２５が立設されている。一対の軸部２３は、マウント部２５の左右から突き出すように形成されている。一方で、上部基板５の端部には、軸部２３を回転自在に支持する一対の軸受部２７が設けられている。軸受部２７はマウント部２５を挟むように配置されている。マウント部２５、一対の軸部２３及び一対の軸受部２７はヒンジ部２を構成する。下部基板３及び上部基板５は、ヒンジ部２によって相対的な揺動運動可能に連結されている。
【００２０】
上部筐体部９はプラスチック樹脂などからなり、上部基板５を受け入れるための装着口２９が形成されている。装着口２９に臨む上部筐体部９の端部には、上部基板５の軸受部２７に装着される袋状のカバー部３１が設けられている。軸受部２７と下部基板３の表面との間には隙間Ｓ１（図２及び図３参照）が形成されており、カバー部３１は、この隙間Ｓ１に一部を差し入れながら軸受部２７に装着される。カバー部３１は、接続片を介して上部筐体部９につながっている。接続片は、柔軟性が高くて容易に変形する樹脂部材からなり、上部筐体部９から引き出し可能となるように上部筐体部９に接続されている。カバー部３１を引っ張ると、接続片は上部筐体部９から引き出され、接続片を上部筐体部９内に押し込むと、接続片は上部筐体部９内に収納される。なお、カバー部３１は、ヒンジなどを介して揺動可能に上部筐体部９に取り付けられていてもよい。
【００２１】
図５及び図６に示されるように、上部基板５の左右には、周端面から出没自在となるように係止爪部（第２の係止爪部）３３と係止解除ボタン３５とが設けられている。なお、係止解除ボタン３５はヒンジ部２近傍の基端側に配置されており、係止爪部３３は係止解除ボタン３５よりもヒンジ部２から離れている先端側に配置されている。係止爪部３３と係止解除ボタン３５とは、上部基板５内に配置されたアーム部３７に固定されている。アーム部３７は二股に分かれており、一方の端部には係止爪部３３が固定され、他方の端部には係止解除ボタン３５が固定されている。係止爪部３３及び係止解除ボタン３５は、アーム部３７を介してコイルばね（第２のばね部）３９に支持されている。
【００２２】
上部筐体部９の内部には、係止孔４１（図１及び図２参照）が形成されている。係止孔４１は、上部筐体部９が完全に上部基板５に装着された状態での係止爪部３３に対面する位置に形成されている。また、上部筐体部９を完全に上部基板５に装着しても係止解除ボタン３５の一部は露出しており、その一部はカバー部３１を軸受部２７に装着することで覆い隠される。
【００２３】
上部基板５を上部筐体部９に差し入れていくと、係止爪部３３は上部筐体部９に当接する。さらに、差し入れていくと、係止爪部３３は上部筐体部９に押圧され、アーム部３７を介してコイルばね３９を弾性変形させながら上部基板５内に没入する。上部基板５が上部筐体部９内に完全に差し入れられて係止爪部３３が係止孔４１まで達すると、係止爪部３３は復元して係止孔４１内に進出する。その結果として、上部筐体部９は、係止爪部３３に引っ掛かった状態になり、上部基板５に支持される。係止爪部３３及びコイルばね３９は、上部基板５の抜け止め部４５を構成する。
【００２４】
抜け止め部４５の係止爪部３３による係止を解除する際には、カバー部３１を軸受部２７から取り外し、係止解除ボタン３５の一部を露出させる。そして、露出した係止解除ボタン３５の一部を押し込むことで、アーム部３７と一緒に係止爪部３３も上部基板５内に押し込まれる。その状態で、上部筐体部９を上部基板５から引き抜くことで、上部筐体部９を上部基板５から取り外すことができる。以上の通り、抜け止め部４５は、上部筐体部９を上部基板５から着脱自在に上部基板５に固定される。
【００２５】
図１に示されるように、下部筐体部７はプラスチック樹脂などからなり、操作パネル１３が組み付けられた本体ケース４７と、キャップ部４９とを備えている。本体ケース４７とキャップ部４９とは、柔軟性の高い素材からなる接続片を介して外面側で接続されており、ヒンジ部２のマウント部２５を挟むようにしてそれぞれ下部基板３に装着される。本体ケース４７には下部基板３を受け入れる装着口５１が形成され、キャップ部４９には下部基板３の一部が差し込まれる挿入口５３が形成されている。本体ケース４７は、複数のセンサ部１７などが実装された下部基板３の先端側に装着され、キャップ部４９は、基端側の残りの部分に被さるように装着される。なお、キャップ部４９は、ヒンジなどを介して揺動可能に本体ケース４７に取り付けられていてもよい。
【００２６】
本体ケース４７の装着口５１を臨む端部には、マウント部２５を巻くように延びた帯状の内側カバー部５５が形成され、キャップ部４９の挿入口５１を臨む端部には、マウント部２５を巻くように延びた帯状の外側カバー部５７が形成されている。マウント部２５と上部基板５との間には隙間Ｓ２があり、内側カバー部５５及び外側カバー部５７は、この隙間Ｓ２を通って互いに接続されており、マウント部２５を巻き込むようにしてマウント部２５を覆っている。
【００２７】
図５及び図６に示されるように、下部基板３の左右には、周端面から出没自在となるように係止爪部（第１の係止爪部）５９と係止解除ボタン６１とが設けられている。なお、係止爪部５９は係止解除ボタン６１よりもマウント部２５から離れている先端側に配置されている。係止爪部５９と係止解除ボタン６１とは、下部基板３内に配置されたアーム部６３に固定されている。アーム部６３は二股に分かれており、一方の端部には係止爪部５９が固定され、他方の端部には係止解除ボタン６１が固定されている。係止爪部５９及び係止解除ボタン６１は、アーム部６３を介してコイルばね（第１のばね部）６５に支持されている。
【００２８】
下部筐体部７の本体ケース４７の内部には、係止孔６７（図１及び図２参照）が形成されている。係止孔６７は、本体ケース４７が完全に下部基板３に装着された状態での係止爪部５９に対面する位置に形成されている。また、本体ケース４７を完全に下部基板３に装着しても係止解除ボタン６１の一部は露出しており、その一部は、キャップ部４９を下部基板３に装着することで覆い隠される。
【００２９】
下部基板３を下部筐体部７に差し入れていくと、係止爪部５９は下部筐体部７に当接する。さらに、差し入れていくと、係止爪部５９は下部筐体部７に押圧され、アーム部６３を介してコイルばね６５を弾性変形させながら下部基板３内に没入する。下部基板３が下部筐体部７内に完全に差し入れられて係止爪部５９が係止孔６７まで達すると、係止爪部５９は復元して係止孔６７内に進出する。その結果として、下部筐体部７は、係止爪部５９に引っ掛かった状態になり、下部基板３に支持される。係止爪部５９及びコイルばね６５は、下部基板３の抜け止め部７３を構成する。
【００３０】
係止爪部５９による係止を解除する際には、キャップ部４９を下部基板３から取り外し、係止解除ボタン６１の一部を露出させる。そして、露出した係止解除ボタン６１の一部を押し込むことで、アーム部６３と一緒に係止爪部５９も下部基板３内に押し込まれる。その状態で、下部筐体部７を下部基板３から引き抜くことで、下部筐体部７を下部基板３から取り外すことができる。以上の通り、抜け止め部７３は、下部筐体部７を下部基板３から着脱自在に下部基板３に固定する。
【００３１】
本実施形態に係る携帯電話１Ａによれば、下部筐体部７及び上部筐体部９は、下部基板３または上部基板５に着脱自在であるため、下部筐体部７及び上部筐体部９を他の筐体部に取り換えることで全体のデザイン変更を容易に行える。さらに、下部筐体部７と上部筐体部９とは分離されているため、下部基板３と上部基板５とが相対的に揺動運動可能に連結されていても、それぞれ独立して下部基板３または上部基板５に装着することができ、下部筐体部７の取り換えは容易であり、また、上部筐体部９の取り換えも容易である。その結果として、利用者のニーズに幅広く対応させることが容易になる。
【００３２】
さらに、下部筐体部７は、操作ボタン１１が配置された操作パネル１３を有し、下部基板３には、ユーザによる操作ボタン１１の押圧入力を受け付ける入力デバイス１５が設けられている。なお、入力デバイス１５は、操作ボタン１１に接触することなく無線などによって操作ボタン１１の押圧入力を受け付ける構成にすることもできる。下部筐体部７には操作パネル１３が設けられ、下部基板３には入力デバイス１５が設けられているので、下部筐体部７を下部基板３に装着することで、ユーザによる操作ボタン１１の押圧入力が入力デバイス１５によって受け付けられるようになる。なお、上部筐体部９に操作パネルを設け、上部基板５に入力デバイスを設けるようにすることもでき、その場合には、上部筐体部９を上部基板５に装着することで、操作ボタンの押圧入力が入力デバイスによって受け付けられるようになる。
【００３３】
さらに、本実施形態では、抜け止め部４５の係止爪部３３が係止孔４１内に進出し、係止孔４１を形成する内周面に引っ掛かるように当接して上部筐体部９を支持し、抜け止め部７３の係止爪部５９が係止孔６７内に進出し、係止孔６７を形成する内周面に引っ掛かるように当接して下部筐体部７を支持するため、上部筐体部９と下部筐体部７とを上部基板５または下部基板３に確実に、且つ容易に固定することができる。
【００３４】
なお、本実施形態では、下部基板３に入力デバイス１５、マイクや無線回路（図示せず）が実装されており、上部基板５にメインＣＰＵ、ＲＡＭやＲＯＭなどのメモリ、スピーカ、アンテナ及び液晶ディスプレイ１９が実装されていたが、これらは例えば逆であってもよく、下部基板３に液晶ディスプレイ１９が実装され、上部基板５に入力デバイス１５が実装されていてもよい。そして、この場合には、下部筐体部７には、液晶ディスプレイ１９を視認可能にする透過窓が設けられ、上部筐体部９には、操作ボタンが配置された操作パネルが設けられるようにしてもよい。
【００３５】
（第２実施形態）
図７〜図１１を参照して本発明の第２実施形態に係る携帯電話１Ｂを説明する。図７は、下部筐体部を下部基板に差し入れる前の状態を示し、下部筐体部を断面で示す平面図であり、図８は、下部筐体部を断面で示す携帯電話の平面図である。図９は、図７のＩＸ−ＩＸ線に沿った断面図、図１０は下部基板に下部筐体部を装着した状態を示す側断面図であり、図１１は下部基板及び下部筐体部を断面で示す携帯電話の側面図である。なお、携帯電話１Ｂについて、第１実施形態に係る携帯電話１Ａと同様の要素や構造などについては、同一の符号を付して詳細説明は省略する。
【００３６】
図７及び図８に示されるように、携帯電話１Ｂは、ヒンジ部７５によって折り畳み可能に連結された下部基板（第１の基板）７７と上部基板（第２の基板）７９とを備えている。下部基板７７には、着脱自在に下部筐体部（第１の筐体部）８１が装着され、上部基板７９には、着脱自在に上部筐体部（第２の筐体部）８３が装着される。さらに、下部筐体部８１と上部筐体部８３とは、下部基板７７または上部基板７９に装着される前の状態において互いに分離独立している。下部筐体部８１には、下部基板７７を受け入れる装着口８５が形成され、上部筐体部８３には、上部基板７９を受け入れる装着口８７が形成されている。
【００３７】
下部筐体部８１には、装着口８５に臨む端部に下部蓋部（第１の蓋部）８９が設けられている。下部蓋部８９には、帯状の弾性接続片９１が設けられており、弾性接続片９１は下部筐体部８１の端部に固定されている。下部蓋部８９を摘んで引くと、弾性接続片９１は弾性変形して撓み、装着口８５を開放する。下部蓋部８９から手を離すと弾性接続片９１は復元し、装着口８５を閉鎖するように下部蓋部８９を移動させる。装着口８７に下部基板７７を差し入れる際、下部基板７７が装着口８５を通過するときには、弾性接続片は下部基板７７の押圧によって弾性変形し、装着口８５を開放した状態に維持する。しかしながら、下部基板７７が通過した後には、弾性接続片は復元し、下部蓋部８９は装着口８５を閉鎖する。
【００３８】
同様に、上部筐体部８３には、装着口８７に臨む端部に上部蓋部（第２の蓋部）９３が設けられている。上部蓋部９３には、帯状の弾性接続片９５（図１１参照）が設けられており、弾性接続片９５は上部筐体部８３の端部に固定されている。装着口８７を開放した状態で装着口８７に上部基板７９を差し入れる際、上部基板７９が装着口８７を通過するときには、弾性接続片９５が下部基板７７の押圧によって弾性変形して撓み、装着口８５を開放した状態に維持する。しかしながら、下部基板７７が通過した後には、弾性接続片９５は復元し、上部蓋部９３は装着口８７を閉鎖する。下部蓋部８９及び上部蓋部９３は、抜け止め部９７を構成する。
【００３９】
下部基板７７には、入力デバイス１５の他に、インターフェース部９９を構成する、例えば、イヤホンコネクタ端子１０１、横ボタン端子１０３及び電池パック１０５及び充電器１０７などが実装されている。下部筐体部８１には、回路基板１０９が内装されており、回路基板１０９上には、イヤホンコネクタ端子１０１に接続されるイヤホンコネクタ接続端子１１１、横ボタン端子１０３に接続される横ボタン接続端子１１３及び電池パック１０５に接続される通電端子１１４などが実装されている。さらに、下部筐体部８１には、回路基板１０９のイヤホンコネクタ接続端子１１１に電気的に接続されるイヤホンコネクタ１１５、横ボタン接続端子１１３に電気的に接続される横ボタン１１７及び充電器１０７に物理的且つ電気的に接続されるアダプタ部１１９が設けられている。本実施形態ではイヤホンコネクタ１１５、横ボタン１１７及びアダプタ部１１９がコネクタ部１２１を形成するが、コネクタ部１２１はこれらの要素のみに限定されない。
【００４０】
図９〜図１０に示されるように、回路基板１０９は、ばね１２３によって支持されている。回路基板１０９の裏面側には、下部基板７７の差し入れに連動して回路基板１０９を下部基板７７側に向けて押し上げるリンク機構１２５が設けられている。リンク機構１２５は、下部基板７７の先端部分に設けられた充電器１０７に当接するパッド部１２７と、軸部１２９を支点にして二方向に向けて延在し、一方の端部がパッド部１２７に連結され、他方の端部が回路基板１０９の裏面に当接するレバー部１３１と、パッド部１２７を付勢支持するばね部１３３とを備える。
【００４１】
図７及び図９に示されるように、下部基板７７に下部筐体部８１を装着する際には、下部蓋部８９を開けて装着口８５を開放させ、装着口８５に下部基板７７を差し入れる。図１０に示されるように、下部基板７７が下部筐体部８１内に完全に差し込まれると、充電器１０７はアダプタ部１１９に接続される。さらに、充電器１０７は、パッド部１２７を押し下げ、リンク機構１２５を介して回路基板１０９を押し上げる。すると、回路基板１０９のイヤホンコネクタ接続端子１１１はイヤホンコネクタ端子１０１に接続され、横ボタン接続端子１１３は横ボタン端子１０３に接続される。さらに、通電端子は電池パック１０５に電気的に接続される。下部筐体部８１を下部基板７７に装着することで下部筐体部８１が電池パック１０５を覆い隠し、電池パック１０５の蓋になる。なお、イヤホンコネクタ接続端子１１１の代わりに電気的な接続端子を設け、下部基板７７を差し込むと電気的な接続端子を介して回路基板１０９と電池パック１０５とが通電可能に接続されるようにしてもよい。なお、電池パックを上部基板７９に設けた場合には、上部筐体部８３が電池パックの蓋になるようにすることもできる。
【００４２】
本実施形態も第１実施形態に係る携帯電話１Ａと同様に、全体のデザイン変更が容易に行え、利用者のニーズに幅広く対応させることが容易になる。
【００４３】
さらに、本実施形態に係る下部蓋部８９または上部蓋部９３は、下部基板７７や上部基板７９が装着口８５や装着口８７に差し入れられながら移動している間には、弾性変形した状態で装着口８５及び装着口８７を開放している。さらに、下部蓋部８９または上部蓋部９３は、下部基板７７または上部基板７９が装着口８５または装着口８７を通過してしまうと、復元して元の状態に戻り、装着口８５または装着口８７を閉鎖する。その結果として、下部筐体部８１と上部筐体部８３とを下部基板７７または上部基板７９に確実に、且つ容易に固定できる。
【００４４】
さらに、本実施形態では、例えば、下部筐体部８１にコネクタ部１２１が設けられており、下部基板７７は、下部筐体部８１が下部基板７７に装着された際にコネクタ部１２１に接続されるインターフェース部９９を有する。その結果として、下部筐体部８１を下部基板７７に装着することでコネクタ部１２１とインターフェース部９９とが接続されて特定の機能が利用可能になる。なお、上部筐体部８３にコネクタ部１２１が設けられ、上部基板７９にインターフェース部９９が設けられている場合には、上部筐体部８３を上部基板７９に装着することでコネクタ部１２１とインターフェース部９９とが接続されて特定の機能が利用可能になる。
【００４５】
（第３実施形態）
図１２〜図１７を参照して本発明の第３実施形態に係る携帯電話１Ｃを説明する。図１２は、本実施形態に係る携帯電話１Ｃの斜視図、図１３は、折り畳んだ状態での携帯電話の斜視図、図１４は、係合爪及び係合孔を中心に示す拡大断面図、図１５は、携帯電話の分解平面図、図１６は、携帯電話を組み立てる途中の状態を示す平面図、図１７は、携帯電話を分解する前の状態を示す平面図である。なお、携帯電話１Ｃについて、第１実施形態に係る携帯電話１Ａと同様の要素や構造などについては、同一の符号を付して詳細説明は省略する。
【００４６】
携帯電話１Ｃは、ヒンジ部１４１によって折り畳み可能に連結された下部基板（第１の基板）１４３と上部基板（第２の基板）１４５とを備えている。下部基板１４３には、下部筐体部（第１の筐体部）１４７が着脱自在に装着され、上部基板１４５には、上部筐体部（第２の筐体部）１４９が着脱自在に装着される。さらに、下部筐体部１４７と上部筐体部１４９とは、下部基板１４３または上部基板１４５に装着される前の状態において互いに分離独立している。下部筐体部１４７には、ヒンジ部１４１に隣接する側の端部に、下部基板１４３を受け入れる装着口（受入口）１５１が形成されている。上部筐体部１４９には、ヒンジ部１４１に隣接する側の端部に、上部基板１４５を受け入れる装着口（受入口）１５３が形成されている。
【００４７】
下部筐体部１４７の装着口１５１を臨む端部には、ヒンジ部１４１を挟むようにして突出する一対の突出片１５５が設けられている。突出片１５５のそれぞれには、円形の係合孔１５７が形成されている。また、上部筐体部１４９の装着口１５３を臨む端部には、ヒンジ部１４１を挟むようにして突出する一対の突出片１５９が設けられている。一対の突出片１５９のそれぞれには、円形の係合孔１６１が形成されている。下部筐体部１４７の突出片１５５は、上部筐体部１４９の突出片１５９の内側、すなわちヒンジ部１４１に近い側になるようにして突出片１５９に重なり、係合孔１５７と係合孔１６１とはヒンジ部１４１の軸線と同心になるように配置される。なお、突出片１５５と突出片１５９との内外の配置は、逆になってもよい。なお、突出片１５５及び突出片１５９は、押圧によって容易に変形する柔軟性の高い樹脂、例えばゴム材などによって形成されている。
【００４８】
ヒンジ部１４１の軸部１６１の両端部には、軸部１６１から軸線方向に沿って出没自在の係合爪部１６３が設けられている。係合爪部１６３は円柱状であり、軸部１６１内にはコイルばね１６５に固定された円形の座部１６７が設けられている。係合爪部１６３は、コイルばね１６５によって付勢支持されており、内側の突出片１５５の係合孔１５７及び外側の突出片１５９の係合孔１６１に進出し、下部筐体部１４７及び上部筐体部１４９に当接して下部筐体部１４７及び上部筐体部１４９を支持する。係合爪部１６３及びコイルばね（ばね部）１６５は抜け止め部１６７を構成する。
【００４９】
図１５及び図１６に示されるように、下部基板１４３を下部筐体部１４７に差し入れると、下部筐体部１４７の突出片１５５が係合爪部１６３に当接する。突出片１５５は、係合爪部１６３上を通過するときに、係合爪部１６３を介してコイルばね１６５を押圧する。コイルばね１６５は、突出片１５５の押圧によって圧縮されて弾性変形し、係合爪部１６３は軸部１６１内に没入する。突出片１５５の係合孔１５７が係合爪部１６３に達すると、コイルばね１６５は復元し、係合爪部１６３は係合孔１５７内に進入する。その結果として、係合爪部１６３は、突出片１５５の係合孔１５７を形成する面に当接し、下部筐体部１４７を支持する。なお、係合爪部１６３は、係合孔１５７を突き出した状態になっている。
【００５０】
次に、上部基板１４５を上部筐体部１４９に差し入れると、上部筐体部１４９の突出片１５９が係合爪部１６３に当接する。突出片１５９は、係合爪部１６３上を通過するときに、係合爪部１６３を介してコイルばね１６５を押圧する。コイルばね１６５は、突出片１５９の押圧によって圧縮されて弾性変形し、係合爪部１６３は係合孔１５７内に没入する。突出片１５９の係合孔１６１が係合爪部１６３に達すると、コイルばね１６５は復元し、係合爪部１６３は係合孔１６１内に進入する。その結果として、係合爪部１６３は、突出片１５９の係合孔１６１を形成する面に当接し、上部筐体部１４９を支持する（図１４参照）。
【００５１】
図１７に示されるように、係止状態を解除するためには、左右の突出片１５９を挟み付けるように押えながら、上部筐体部１４９を引く。すると、係合爪部１６３は突出片１５９の係合孔１６１から外れ、上部筐体部１４９を上部基板１４５から外すことが出来る。続いて、左右の係合爪部１６３と一緒に突出片１５５を挟み付けるように押えながら、下部筐体部１４７を引く。すると、係合爪部１６３は突出片１５５の係合孔１５７から外れ、下部筐体部１４７を下部基板１４３から外すことが出来る。以上の通り、抜け止め部１６７は、下部筐体部１４７を下部基板１４３から着脱自在に下部基板１４３に固定し、上部筐体部１４９を上部基板１４５から着脱自在に上部基板１４５に固定する。
【００５２】
本実施形態も第１実施形態に係る携帯電話１Ａと同様に、全体のデザイン変更が容易に行え、利用者のニーズに幅広く対応させることが容易になる。
【００５３】
さらに、本実施形態では、係合爪部１６３が係合孔１５７内で突出片１５５に当接することで、下部筐体部１４７は下部基板１４３に確実に、且つ容易に取り付けることができる。さらに、係合爪部１６３が係合孔１６１内で突出片１５９に当接することで、上部筐体部１４９は上部基板１４５に確実に、且つ容易に取り付けることができる。
【００５４】
（第４実施形態）
図１８〜図１９を参照して本発明の第４実施形態に係る携帯電話１Ｄを説明する。図１８は、本実施形態に係る携帯電話１Ｄの斜視図、図１９は、携帯電話１Ｄの開閉動作を示す図であり、（ａ）は開いた状態を示す斜視図、（ｂ）は閉じた状態を示す斜視図である。
【００５５】
携帯電話１Ｄは、相対的なスライド運動可能に連結された下部基板（第１の基板）１７１と上部基板（第２の基板）１７３とを備えている。下部基板１７１には、下部筐体部（第１の筐体部）１７５が着脱自在に装着され、上部基板１７３には、上部筐体部（第２の筐体部）１７７が着脱自在に装着される。さらに、下部筐体部１７５と上部筐体部１７７とは、下部基板１７１または上部基板１７３に装着される前の状態において互いに分離独立している。
【００５６】
下部筐体部１７５には、複数の操作ボタン１７９が配置された操作パネル１８１が設けられている。下部基板１７１には、ユーザによる操作ボタン１７９の押圧入力を受け付ける入力デバイス１８３が設けられている。入力デバイス１８３は、操作ボタン１７９への押圧を検出する複数のセンサ部１８５とセンサ部１８５で検出したデータを受け付けて最適化するセンシング回路とを有する。また、下部基板１７１には、マイクや無線回路（図示せず）が実装されている。
【００５７】
上部基板１７３には、携帯電話１Ｄ全体の動作制御を司るメインＣＰＵ、ＲＡＭやＲＯＭなどのメモリ、スピーカ及びアンテナなどが実装されている。さらに、上部基板１７３には、液晶ディスプレイ（液晶パネル）１８７が実装されている。上部筐体部１７７には、液晶ディスプレイ１８７を視認可能にする透過窓１８９が設けられている。
【００５８】
下部筐体部１７５には、下部基板１７１を受け入れる装着口１９１が形成されている。また、上部筐体部１７７には、上部基板１７３を受け入れる装着口１９３が形成されている。さらに、下部筐体部１７５には、装着口１９１が形成された側の端部に下部蓋部１９５が設けられており、上部筐体部１７７には、装着口１９３が形成された側の端部に上部蓋部１９７が設けられている。下部蓋部１９５は、下部基板１７１が下部筐体部１７５に完全に差し入れられた状態で下部基板１７１の端部に当接して下部基板１７１を固定し、上部蓋部１９７は、上部基板１７３が上部筐体部１７７に完全に差し入れられた状態で上部基板１７３の端部に当接して上部基板１７３を固定する。下部蓋部１９５及び上部蓋部１９７は、抜け止め部１９９を構成する。
【００５９】
本実施形態に係る携帯電話１Ｄによれば、下部筐体部１７５及び上部筐体部１７７は、下部基板１７１または上部基板１７３に着脱自在であるため、下部筐体部１７５及び上部筐体部１７７を取り換えることで全体のデザイン変更を容易に行える。さらに、下部筐体部１７５と上部筐体部１７７とは分離されているため、下部基板１７１と上部基板１７３とが相対的なスライド運動可能に連結されていても、それぞれ独立して下部基板１７１または上部基板１７３に装着することができ、下部筐体部１７５と上部筐体部１７７との取り換えは容易である。その結果として、利用者のニーズに幅広く対応させることが容易になる。
【００６０】
なお、本発明は、上記の実施形態のみに限定されない。例えば、下部基板と上部基板とがターン式にて相対運動可能に連結されていてもよい。
【図面の簡単な説明】
【００６１】
【図１】本発明の第１実施形態に係る携帯電話の分解斜視図である。
【図２】第１実施形態に係る携帯電話の分解側断面図である。
【図３】第１実施形態に係る携帯電話の側面図である。
【図４】第１実施形態に係る携帯電話の下部基板及び下部筐体部を中心にして示す側断面図である。
【図５】下部基板及び上部基板の平面図であり、（ａ）は係止状態を示し、（ｂ）は係止解除状態を示す図である。
【図６】下部筐体部及び上部筐体部を装着した状態を示し、（ａ）は係止解除前の状態を示す平面図であり、（ｂ）は係止解除後の状態を示す平面図である。
【図７】第２実施形態に係る下部筐体部に下部基板を差し入れる前の状態を示す平面図である。
【図８】第２実施形態の携帯電話であり、下部筐体部を断面で示す平面図である。
【図９】図７のＩＸ−ＩＸ線に沿った断面図である。
【図１０】第２実施形態に係る下部基板に下部筐体部を装着した状態を示す側断面図である。
【図１１】第２実施形態に係る携帯電話の側面図である。
【図１２】第３実施形態に係る携帯電話の分解斜視図である。
【図１３】第３実施形態に係る携帯電話の折り畳んだ状態を示す斜視図である。
【図１４】係合爪部及び係合孔を中心に示す拡大断面図である。
【図１５】第３実施形態に係る携帯電話の分解平面図である。
【図１６】第３実施形態の携帯電話を組み立てる途中の状態を示す平面図である。
【図１７】第３実施形態の携帯電話を分解する前の状態を示す平面図である。
【図１８】第４実施形態の携帯電話を分解斜視図である。
【図１９】第４実施形態の携帯電話の開閉状態を示し、（ａ）は閉状態を示す斜視図、（ｂ）は開状態を示す斜視図である。
【符号の説明】
【００６２】
１Ａ，１Ｂ，１Ｃ，１Ｄ…携帯電話、３，７７，１４３，１７１…下部基板（第１の基板）、５，７９，１４５，１７３…上部基板（第２の基板）、７，８１，１４７，１７５…下部筐体部（第１の筐体部）、９，８３，１４９，１７７…上部筐体部（第２の筐体部）、１１，１７９…操作ボタン、１３，１８１…操作パネル、１５，１８３…入力デバイス、２９，８７，１９３…装着口（第２の装着口）、３３…係止爪部（第２の係止爪部）、４５，７３，９７，１６７，１９９…抜け止め部、５９…係止爪部（第１の係止爪部）、３９…コイルばね（第２のばね部）、４１…係止孔（第２の係止孔）、５１，８５，１９１…装着口（第１の装着口）、６５…コイルばね（第１のばね部）、６７…係止孔（第１の係止孔）、８９，１９５…下部蓋部（第１の蓋部）、９３，１９７…上部蓋部（第２の蓋部）、９９…インターフェース部、１２１…コネクタ部、１４１…ヒンジ部、１５１，１５３…装着口（受入口）、１５５…下部筐体部の突出片、１５７…下部筐体部の係合孔、１５９…上部筐体部の突出片、１６１…上部筐体部の係合孔、１６３…係合爪部、１６５…コイルばね（ばね部）。
【図１】
0005137527.tif 000002
【図２】
0005137527.tif 000003
【図３】
0005137527.tif 000004
【図４】
0005137527.tif 000005
【図５】
0005137527.tif 000006
【図６】
0005137527.tif 000007
【図７】
0005137527.tif 000008
【図８】
0005137527.tif 000009
【図９】
0005137527.tif 000010
【図１０】
0005137527.tif 000011
【図１１】
0005137527.tif 000012
【図１２】
0005137527.tif 000013
【図１３】
0005137527.tif 000014
【図１４】
0005137527.tif 000015
【図１５】
0005137527.tif 000016
【図１６】
0005137527.tif 000017
【図１７】
0005137527.tif 000018
【図１８】
0005137527.tif 000019
【図１９】
0005137527.tif 000020